(57)【要約】【課題】周囲の部品や電線と干渉し、絡まることが少なく、狭い場所で容易に電線を接続、分離する。【解決手段】筒状体３を筒状体２の開口した一方端の方へスライドさせる。これにより、筒状体３の凸部３ａが、筒状体２の２分割された部分に当接し、さらにスライドさせることで、筒状体２の２分割された部分の距離が短くなっていく。筒状体２の一方端は金属筒１の一方端に接しているので、これにより、金属筒１の２分割された部分の距離も短くなっていく。各金属突起１ａ、１ｂは、金属筒１の２分割された各部分の内部に設けられているので、これにより、各金属突起１ａ、１ｂ間の距離も短くなっていく。やがては、露出した電線部分ｂが各金属突起１ａ、１ｂで把持される。つまり、絶縁被覆電線Ａ、Ｂは、金属筒１を介して、電気的に接続される。【選択図】図５
2012252950.tif 000002
【特許請求の範囲】
【請求項１】
２つの絶縁被覆電線同士を電気的に接続するための電線接続システムであって、
金属筒と、
前記金属筒を内包するように配置される第１の筒状体と、
前記第１の筒状体を内包するように配置され、且つ、前記第１の筒状体の外周部に当接しながら前記第１の筒状体の軸方向にスライド可能な第２の筒状体とを有し、
前記金属筒の一方端は開口し、該一方端に接した部分は該一方端からの割りにより２分割され、該２分割された各部分の内部における前記金属筒の軸方向での同位置に金属突起を有し、前記金属筒の他方端には前記一方の絶縁被覆電線が予め接続され、
前記第１の筒状体の一方端は開口し、該一方端に接した部分は該一方端からの割りにより２分割され、かつ、割りが押し広げられ、該一方端は前記金属筒の該一方端に接しており、
前記他方の絶縁被覆電線の端部の絶縁被覆を除去して電線部分を露出させ、該絶縁被覆電線を、該露出した電線部分の方から前記金属筒の前記開口した一方端を通過させて該金属筒の内部へ挿入し、該露出した電線部分を前記各金属突起間に配置し、
前記第１の筒状体の２分割された部分の外周部に前記第２の筒状体の内周部を当接し、該第２の筒状体を該第１の筒状体の一方端の方へスライドさせることにより、該第１の筒状体の該２分割された部分の距離、前記金属筒の前記２分割された部分の距離、前記各金属突起間の距離を短縮し、該距離の短縮により、前記露出した電線部分を該各金属突起で把持するようにしたことを特徴とする電線接続システム。
【請求項２】
前記第１の筒状体における２分割された部分の外周部に凹部が形成され、前記第２の筒状体の内周部に凸部が形成され、該凹部と該凸部は、前記露出した電線部分が前記各金属突起で把持された状態で噛みあうように配置されたことを特徴とする請求項１記載の電線接続システム。
【請求項３】
前記第２の筒状体の外周部に該筒状体をスライドさせる手の滑り防止するための滑り止め手段が設けられたことを請求項１または２記載の電線接続システム。
【請求項４】
前記金属筒の割りの最深部の形状は割りが拡大しないような形状であることを特徴とする請求項１ないし３のいずれかに記載の電線接続システム。
【請求項５】
前記第１の筒状体の割りの最深部の形状は割りが拡大しないような形状であることを特徴とする請求項１ないし４のいずれかに記載の電線接続システム。
【発明の詳細な説明】
【技術分野】
【０００１】
本発明は、周囲の部品や電線と干渉し、絡まることが少なく、狭い場所で容易に電線を接続、分離することができる電線接続システムに関するものである。
【背景技術】
【０００２】
プリント基板の電子回路の狭い場所に複数の電線を外部から接続する場合、あるいは、測定用プローブ等を接続する場合、それぞれの立体的な接続部品が干渉して操作性が悪かった。このため、接続部品がお互いに絡んだりして電線の接続、分離を困難にしていた。
【先行技術文献】
【特許文献】
【０００３】
【特許文献１】特開２００５−０６３８１６号公報
【特許文献２】特開２０００−３３１７２３号公報
【特許文献３】特開平８−３０４４５５号公報
【特許文献４】実開平５−４５９３２号公報
【特許文献５】特開平９−１６１８７１号公報
【発明の概要】
【発明が解決しようとする課題】
【０００４】
本発明は、上記の課題に鑑みてなされたものであり、その目的とするところは、周囲の部品や電線と干渉し、絡まることが少なく、狭い場所で容易に電線を接続、分離することができる電線接続システムを提供することにある。
【課題を解決するための手段】
【０００５】
上記の課題を解決するために、本発明は、２つの絶縁被覆電線同士を電気的に接続するための電線接続システムであって、金属筒と、前記金属筒を内包するように配置される第１の筒状体と、前記第１の筒状体を内包するように配置され、且つ、前記第１の筒状体の外周部に当接しながら前記第１の筒状体の軸方向にスライド可能な第２の筒状体とを有し、前記金属筒の一方端は開口し、該一方端に接した部分は該一方端からの割りにより２分割され、該２分割された各部分の内部における前記金属筒の軸方向での同位置に金属突起を有し、前記金属筒の他方端には前記一方の絶縁被覆電線が予め接続され、
前記第１の筒状体の一方端は開口し、該一方端に接した部分は該一方端からの割りにより２分割され、かつ、割りが押し広げられ、該一方端は前記金属筒の該一方端に接しており、前記他方の絶縁被覆電線の端部の絶縁被覆を除去して電線部分を露出させ、該絶縁被覆電線を、該露出した電線部分の方から前記金属筒の前記開口した一方端を通過させて該金属筒の内部へ挿入し、該露出した電線部分を前記各金属突起間に配置し、前記第１の筒状体の２分割された部分の外周部に前記第２の筒状体の内周部を当接し、該第２の筒状体を該第１の筒状体の一方端の方へスライドさせることにより、該第１の筒状体の該２分割された部分の距離、前記金属筒の前記２分割された部分の距離、前記各金属突起間の距離を短縮し、該距離の短縮により、前記露出した電線部分を該各金属突起で把持するようにしたことを特徴とする電線接続システムをもって解決手段とする。
【０００６】
例えば、前記第１の筒状体における２分割された部分の外周部に凹部が形成され、前記第２の筒状体の内周部に凸部が形成され、該凹部と該凸部は、前記露出した電線部分が前記各金属突起で把持された状態で噛みあうように配置される。
【０００７】
例えば、前記第２の筒状体の外周部に該筒状体をスライドさせる手の滑り防止するための滑り止め手段が設けられる。
【０００８】
例えば、前記金属筒の割りの最深部の形状は割りが拡大しないような形状である。
【０００９】
例えば、前記第１の筒状体の割りの最深部の形状は割りが拡大しないような形状である。
【発明の効果】
【００１０】
本発明によれば、周囲の部品や電線と干渉し、絡まることが少なく、狭い場所で容易に電線を接続、分離することができる。
【図面の簡単な説明】
【００１１】
【図１】本実施の形態に係る電線接続システムを示す斜視図である。
【図２】金属筒１の一部を示す斜視図である。
【図３】絶縁被覆電線Ａ、Ｂを接続する前の状態を示す斜視図である。
【図４】絶縁被覆電線Ａ、Ｂを接続する前の状態を示す横断面図である。
【図５】絶縁被覆電線Ａ、Ｂが接続された状態を示す横断面図である。
【発明を実施するための形態】
【００１２】
以下、本発明の実施の形態について図面を参照して説明する。
【００１３】
図１は、本実施の形態に係る電線接続システムを示す斜視図である。
【００１４】
電線接続システムは、２つの絶縁被覆電線Ａ、Ｂを電気的に接続するためのものであって、かつ、接続した絶縁被覆電線Ａ、Ｂを再び分離することもできるようになっている。
【００１５】
電線接続システムは、金属筒１と、金属筒１を内包するように配置される筒状体２と、筒状体２を内包するように配置される筒状体３とを有する。ここでは、筒状体２および筒状体３のおおよその形状は円筒である。また、ここでは、筒状体２および筒状体３は絶縁体とする。
【００１６】
金属筒１の一方端は開口し、他方端は例えば閉じている。金属筒１の一方端に接した部分は一方端からの「割り」により２分割されている。金属筒１の閉じた他方端には絶縁被覆電線Ａが予め半田付けなどにより接続される。本実施の形態では、この絶縁被覆電線Ａと絶縁被覆電線Ｂを電気的に接続することとする。
【００１７】
図２は、金属筒１の一部を示す斜視図である。
【００１８】
金属筒１は、２分割された各部分の内部における金属筒１の軸方向での同位置に金属突起１ａ、１ｂを有している。金属突起１ａ、１ｂは、例えば、金属筒１と一体に形成され、割りを入れることにより、分割される。また、金属筒１の割りの最深部１１の形状は割りが拡大しないような円形などの形状となっている。図では隠れている方の最深部もの同様の形状となっている。
【００１９】
図１に戻り、筒状体２の一方端は開口し、一方端に接した部分は一方端からの割りにより２分割され、かつ、割りが押し広げられている。筒状体２も金属筒１と同様に、割りの最深部２１の形状は割りが拡大しないような円形などの形状となっている。図では隠れている方の最深部もの同様の形状となっている。
【００２０】
筒状体２の外周部には、凹部２ａ、２ｂが形成されている。凹部２ａは、２分割された部分の外周部には形成されている。各凹部２ａ、２ｂは、例えば、リング状の溝である。
【００２１】
筒状体３の内周部には、凸部３ａおよび図では隠れている他の凸部が形成されている。凸部３ａおよび他の凸部は、例えば、筒状体３と一体に形成され、例えば、リング状である。
【００２２】
また、筒状体３の外周部には、筒状体３を手でスライドさせるときの手の滑り防止するための滑り止め手段３１が設けられている。滑り止め手段３１は、例えば、筒状体３と一体に形成され、例えば、リング状である。
【００２３】
図３、絶縁被覆電線Ａ、Ｂを接続する前の状態を示す斜視図であり、図４は、絶縁被覆電線Ａ、Ｂを接続する前の状態を示す横断面図である。
【００２４】
これらの図は、筒状体２に対し、筒状体２の２分割されていない方から筒状体３を被せた状態を示している。この状態で、筒状体３の内周部に形成された他方の凸部３ｂと筒状体２の外周部に形成された凹部２ｂとが噛みあっている。一方、この状態では、筒状体３の凸部３ａと筒状体２の凹部２ａとは噛み合わっていない。例えば、筒状体２および筒状体３は、通常は、この状態で取り扱われる。
【００２５】
絶縁被覆電線Ａ、Ｂを接続するにあたり、筒状体２に金属筒１が挿入され、筒状体２の一方端は金属筒１の一方端に接する。絶縁被覆電線Ａは、筒状体２の開口した他方端から外部へ延出される。
【００２６】
次に、絶縁被覆電線Ｂの端部の絶縁被覆を除去して電線部分ｂを露出させ、絶縁被覆電線Ｂを、電線部分ｂの方から金属筒１の開口した一方端を通過させて金属筒１の内部へ挿入し、露出した電線部分ｂを各金属突起間に配置する。
【００２７】
図５は、絶縁被覆電線Ａ、Ｂが接続された状態を示す横断面図である。
【００２８】
例えば、滑り止め手段３１に手をかけて、筒状体３を筒状体２の開口した一方端の方へスライドさせる。これにより、筒状体３の凸部３ａが、筒状体２の２分割された部分に当接し、さらにスライドさせることで、筒状体２の２分割された部分の距離が短くなっていく。
【００２９】
筒状体２の一方端は金属筒１の一方端に接しているので、これにより、金属筒１の２分割された部分の距離も短くなっていく。各金属突起１ａ、１ｂは、金属筒１の２分割された各部分の内部に設けられているので、これにより、各金属突起１ａ、１ｂ間の距離も短くなっていく。
【００３０】
やがては、露出した電線部分ｂが各金属突起１ａ、１ｂで把持される。つまり、絶縁被覆電線Ａ、Ｂは、金属筒１を介して、電気的に接続される。
【００３１】
また、この状態で、筒状体３の凸部３ａと筒状体２の凹部２ａとが噛み合う。つまり、筒状体３は、逆方向にスライドしにくく、これにより、絶縁被覆電線Ａの抜け落ちを防止することができる。
【００３２】
また、金属筒１、露出した電線部分ｂは、筒状体２に内包されるので、他の導体とのショート（短絡事故）を防止することができる。
【００３３】
なお、電線を分離するときは、筒状体３を逆方向に強い力でスライドさせ、筒状体３の凸部３ａを筒状体２の凹部２ａから外す。これにより、筒状体２の２分割された部分の距離、金属筒１の２分割された部分の距離、各金属突起１ａ、１ｂの距離が長くなり、露出した電線部分ｂが金属突起１ａ、１ｂから解放される。よって、絶縁被覆電線Ａを金属筒１から抜くことができる。
【００３４】
以上説明したように、本実施の形態に係る電線接続システムによれば、金属筒１と、金属筒１を内包するように配置される第１の筒状体２と、第１の筒状体を内包するように配置され、且つ、第１の筒状体２の外周部に当接しながら第１の筒状体２の軸方向にスライド可能な第２の筒状体３とを有し、金属筒１の一方端は開口し、一方端に接した部分は一方端からの割りにより２分割され、２分割された各部分の内部における金属筒１の軸方向での同位置に金属突起１ａ、１ｂを有し、金属筒１の他方端には一方の絶縁被覆電線Ａが予め接続され、第１の筒状体２の一方端は開口し、一方端に接した部分は一方端からの割りにより２分割され、かつ、割りが押し広げられ、一方端は金属筒１の一方端に接しており、他方の絶縁被覆電線Ｂの端部の絶縁被覆を除去して電線部分ｂを露出させ、絶縁被覆電線Ｂを、露出した電線部分ｂの方から金属筒１の開口した一方端を通過させて金属筒１の内部へ挿入し、露出した電線部分ｂを各金属突起１ａ、１ｂ間に配置し、第１の筒状体２の２分割された部分の外周部に第２の筒状体３の内周部（凸部３ａ）を当接し、第２の筒状体３を第１の筒状体２の一方端の方へスライドさせることにより、第１の筒状体２の２分割された部分の距離、金属筒１の２分割された部分の距離、各金属突起１ａ、１ｂ間の距離を短縮し、距離の短縮により、露出した電線部分ｂを各金属突起１ａ、１ｂで把持するようにしたことで、筒状の金属筒１、筒状体２、筒状体３により電線を接続でき、よって、これらが周囲の部品や電線と干渉し、絡まることが少なく、狭い場所で容易に電線を接続、分離することができる。
【符号の説明】
【００３５】
１…金属筒
２、３…筒状体
１ａ、１ｂ…金属突起
Ａ、Ｂ…絶縁被覆電線
２ａ、２ｂ…凹部
３ａ、３ｂ…凸部
１１…金属筒１のの割りの最深部
２１…筒状体２の割りの最深部
３１…滑り止め手段
【図１】
2012252950.tif 000003
【図２】
2012252950.tif 000004
【図３】
2012252950.tif 000005
【図４】
2012252950.tif 000006
【図５】
2012252950.tif 000007